(57)【要約】【課題】携帯電子機器の表示部での表示を拡大表示できるとともに、携帯電子機器の電源充電も可能にした燃料電池を備えた表示装置を提供する。【解決手段】電源として充電式電池２２が用いられる携帯電話機１に接続可能に設けられ、携帯電話機１から送られる画像信号を表示部９に表示する表示装置であって、燃料電池システム１４と、該燃料電池システム１４の出力を表示部９の駆動電力として供給する第１の電力供給路ｂと燃料電池システム１４の出力を携帯電話機１の充電式電池２２の充電電力として供給する第２の電力供給路ａを選択的に切換えるスイッチ１１を有する。【選択図】図５
2008165115.tif 000002
【特許請求の範囲】
【請求項１】
電源として充電式電池が用いられる電子機器に接続可能に設けられ、前記電子機器から送られる画像を表示する表示部を有する表示装置であって、
燃料電池と、
前記燃料電池の出力を前記表示部の駆動電力として供給する第１の電力供給路と前記燃料電池の出力を前記充電式電池の充電電力として供給する第２の電力供給路と、
これら第１の電力供給路と第２の電力供給路を選択的に切換える切換え手段と
を具備したことを特徴とする表示装置。
【請求項２】
表示装置本体を有し、
前記表示装置本体は、表面に前記表示部が設けられ、且つ裏面に前記燃料電池が収容される電源室が設けられるとともに、該電源室に前記燃料電池の空気取り入れ口に連通する開口部が設けられることを特徴とする請求項１記載の表示装置。
【請求項３】
前記表示装置本体は、所定角度傾けた状態で立て掛け可能にしたことを特徴とする請求項２記載の表示装置。
【請求項４】
前記電子機器に対して接続ケーブルを介して接続可能にしたことを特徴とする請求項１記載の表示装置。
【請求項５】
前記電子機器に対して機械的接続機能と電気的接続機能を有する連結部により接続可能にしたことを特徴とする請求項１記載の表示装置。
【発明の詳細な説明】
【技術分野】
【０００１】
本発明は、携帯用電子機器に接続して用いられる表示装置に関するものである。
【背景技術】
【０００２】
携帯電話機や携帯情報端末（ＰＤＡ：Ｐｅｒｓｏｎａｌ  Ｄｉｇｉｔａｌ  Ａｓｓｉｓｔａｎｔｓ）などの電子機器の小型化は目覚しいものがあり、これら携帯電話機や携帯情報端末に設けられる表示部の画面サイズも小型になる傾向にある。
【０００３】
ところが、表示部の画面サイズの小型化とともに、表示される絵や文字のサイズも小さくなるため画面全体が見づらくなり、特に、最近のＴＶ機能を有する携帯電話機では、表示部の表示されるＴＶ画面が小さいため、スポーツなどを観戦するには迫力が半減してしまうなどの問題があった。
【０００４】
そこで、最近、特許文献１に開示されるように携帯端末機器のディスプレイよりもサイズの大きな表示面を有するカード型表示手段を携帯端末機器に設けられた接続部へ直接又はアダプタを介して接続するものや、特許文献２に開示されるように筐体前面を表示画面で構成され、外部から送信された音声及び画像データを受信して、音声データをスピーカから出力するとともに、画像データを前記表示画面に表示するようにしたもので、前記筐体をディスクトップ型もしくは壁掛け型で構成するようにしたものが考えられている。
【特許文献１】特開２００１−３４３９１５号公報
【特許文献２】特開２００６−１０８９０７号公報
【発明の開示】
【発明が解決しようとする課題】
【０００５】
ところが、特許文献１のものは、カード型表示手段自身が電源を持っていないため、カード型表示手段の動作には、携帯端末機器の電源を使用するようになる。このため、カード型表示手段で消費される電力は携帯端末機器側の電源（二次電池）の負担となり、これが原因で電池切れを早めるとともに、負担に耐えられず、電池性能を劣化させるおそれもある。
【０００６】
また、特許文献２のものは、表示装置の電源について言及していないが、電源として商用電源を使用する場合、ディスクトップ型もしくは壁掛け型を考え合わせると表示装置を携帯して携帯電子機器と一緒に使用することはできない。また、仮に、電源として二次電池を使用して携帯電子機器とともに携帯して使用可能なものであったとしても、携帯先で電池切れになると、専用の充電器による電池充電が必要で、さらに携帯用電子機器で電池切れになった場合は、表示装置と別の専用の充電器で電池充電を行わなければならず、このため、これら充電器が使用できない環境の下では、表示装置は勿論、携帯電子機器も使用不能に陥るという問題があった。
【０００７】
本発明は上記事情に鑑みてなされたもので、携帯電子機器の表示部での表示を拡大表示できるとともに、携帯電子機器の電源充電も可能にした燃料電池を備えた表示装置を提供することを目的とする。
【課題を解決するための手段】
【０００８】
請求項１記載の発明は、電源として充電式電池が用いられる電子機器に接続可能に設けられ、前記電子機器から送られる画像を表示する表示部を有する表示装置であって、燃料電池と、前記燃料電池の出力を前記表示部の駆動電力として供給する第１の電力供給路と前記燃料電池の出力を前記充電式電池の充電電力として供給する第２の電力供給路と、これら第１の電力供給路と第２の電力供給路を選択的に切換える切換え手段とを具備したことを特徴としている。
【０００９】
請求項２記載の発明は、請求項１記載において、表示装置本体を有し、前記表示装置本体は、表面に前記表示部が設けられ、且つ裏面に前記燃料電池が収容される電源室が設けられるとともに、該電源室に前記燃料電池の空気取り入れ口に連通する開口部が設けられることを特徴としている。
【００１０】
請求項３記載の発明は、請求項２記載において、前記表示装置本体は、所定角度傾けた状態で立て掛け可能にしたことを特徴としている。
【００１１】
請求項４記載の発明は、請求項１記載において、前記電子機器に対して接続ケーブルを介して接続可能にしたことを特徴としている。
【００１２】
請求項５記載の発明は、請求項１記載において、前記電子機器に対して機械的接続機能と電気的接続機能を有する連結部により接続可能にしたことを特徴としている。
【発明の効果】
【００１３】
本発明によれば、携帯電子機器の表示部での表示を拡大表示できるとともに、携帯電子機器の電源充電も可能にした燃料電池を備えた表示装置を提供できる。
【発明を実施するための最良の形態】
【００１４】
以下、本発明の実施の形態を図面に従い説明する。
【００１５】
（第１の実施の形態）
図１は、本発明の第１の実施の形態にかかる表示装置の概略構成を示している。なお、図１では、第１の実施の形態にかかる表示装置を、携帯用電子機器としてＴＶ機能を有する携帯電話機に適用した例を示している。
【００１６】
図において、１は携帯電話機で、この携帯電話機１は、指定チャンネルに対応する周波数の電波の送受信を可能にしたもので、マイク２より入力される音声信号を高周波信号に変換してアンテナ３から出力し、また、アンテナ３に入力される高周波信号を音声信号に変換してスピーカ４から出力する。また、携帯電話機１には、入力部５及び表示部６が設けられている。入力部５は、複数のプッシュスイッチを有し、これらプッシュスイッチの操作信号を携帯電話機１に入力する。表示部６には、液晶表示部などが用いられ、各種の情報やＴＶ機能で受信したＴＶ放送の画像を表示する。
【００１７】
携帯電話機１には、接続ケーブル７を介して表示装置８が接続されている。接続ケーブル７は、両端にそれぞれコネクタ７０１、７０２が設けられ、これらコネクタ７０１、７０２により携帯電話機１及び表示装置８のそれぞれのコネクタ２４、２６に接続可能になっている。
【００１８】
表示装置８は、表示装置本体８０１の表面に表示部９が設けられている。この表示部９には、携帯電話機１から接続ケーブル７を介して送られる画像を表示するもので、液晶表示部、ＥＬ表示部などが用いられる。この場合、表示部９は、携帯電話機１の表示部６より十分に大きな画面サイズを有している。
【００１９】
表示装置本体８０１には、表示部９に隣接してスピーカ１０が内蔵されている。このスピーカ１０は、携帯電話機１から接続ケーブル７を介して送られる音声を出力する。また、表示部９の下側には、スイッチ１１、１２が設けられている。これらスイッチ１１，１２についての詳細は後述する。
【００２０】
一方、図２に示すように表示装置本体８０１の裏面には、電源室１３が設けられている。この電源室１３には、燃料電池として燃料電池システム１４が収容されている。この場合、電源室１３は、図３に示すように前記燃料電池システム１４の後述するＤＭＦＣ（Direct Methanol Fuel Cell）ユニット１６のカソード極（空気極）の空気取り入れ口を塞がないように、この空気取り入れ口に連通する多数の開口部１３ａが形成されている。
【００２１】
また、表示装置本体８０１の裏面には、脚部１５が設けられている。この脚部１５は、その基端部が表示装置本体８０１に回動可能に設けられ、表示装置８の使用時は、図２に示す状態に取り出され、表示装置８を所定角度傾けた状態で立て掛け可能とし、また、表示装置８の不使用時は、表示装置本体８０１裏面の不図示の凹部に収納される。
【００２２】
図４は、燃料電池システム１４の概略構成を示すもので、燃料電池ユニットとしてのＤＭＦＣユニット１６、制御ユニット１７、補助電源１８、液体燃料収容部１９及び出力端子２０が設けられている。ＤＭＦＣユニット１６は、複数の発電セルから構成されている。これら発電セルは、それぞれカソード触媒層及びカソードガス拡散層からなるカソード極と、アノード触媒層及びアノードガス拡散層からなるアノード極と、カソード触媒層とアノード触媒層の間に配置されるプロトン伝導性の電解質膜とを備える膜電極接合体（ＭＥＡ）を有するもので、アノード極には、燃料としてメタノール水溶液が供給され、触媒反応によりプロトン（陽子）が発生される。一方、カソード極（空気極）には空気取り入れ口より空気が供給される。カソード極では、上記電解質膜を通り抜けたプロトンが、供給される空気に含まれる酸素と触媒上で反応することにより発電が行なわれる。ここでのＤＭＦＣユニット１６は、例えば燃料も空気も対流や濃度勾配などを利用して供給するパッジブ型のものが用いられている。
【００２３】
液体燃料収容部１９には、燃料として純メタノールまたはメタノール水溶液が充填されている。また、液体燃料収容部１９には、不図示の燃料供給路を介してＤＭＦＣユニット１６が接続され、液体燃料収容部１９の燃料が燃料供給路を通ってＤＭＦＣユニット１６に供給される。
【００２４】
液体燃料収容部１９には、注入口１９ａが設けられている。この注入口１９ａには、燃料カートリッジ２１が着脱可能に装着され、この燃料カートリッジ２１から液体燃料収容部１９への燃料の注入が行なわれる。
【００２５】
なお、液体燃料収容部１９に収容する液体燃料は必ずしもメタノール燃料に限られるものではなく、例えばエタノール水溶液や純エタノール等のエタノール燃料、プロパノール水溶液や純プロパノール等のプロパノール燃料、グリコール水溶液や純グリコール等のグリコール燃料、ジメチルエーテル、ギ酸、もしくはその他の液体燃料であってもよい。いずれにしても、燃料電池に応じた液体燃料が収容される。
【００２６】
制御ユニット１７は、ＤＭＦＣユニット１６の出力電圧を調整する不図示の出力調整手段を有している。この出力調整手段には、例えば昇圧型のＤＣ−ＤＣコンバータが用いられる。このＤＣ−ＤＣコンバータは、スイッチング要素とエネルギー蓄積要素を有しており、これらスイッチング要素とエネルギー蓄積要素によりＤＭＦＣユニット１６で発電された電気エネルギーを蓄積／放出させＤＭＦＣユニット１６の比較的低い出力電圧を十分の電圧まで昇圧し、これにより生成される電力を前記出力端子２０を介して出力する。なお、ＤＣ−ＤＣコンバータは、昇圧動作が可能なものならば、他の回路方式のものでも実施可能である。
【００２７】
補助電源１８は、制御ユニット１７のＤＣ−ＤＣコンバータの出力により充電可能としたもので、負荷側の瞬間的な変動に対して電流を供給し、また、燃料枯渇状態になってＤＭＦＣユニット１６が発電不能に陥った場合に負荷の駆動電源として用いられる。この補助電源１８には、充放電可能な二次電池(例えばリチウムイオン充電池（ＬＩＢ）)や電気二重層コンデンサ）が用いられる。
【００２８】
図５は、携帯電話機１及び表示装置８の回路構成の一例を示している。なお、図５は、図１乃至図４と同一部分には同符号を付している。
【００２９】
この場合、携帯電話機１は、電話機本体１０１にアンテナ３、入力部５及び表示部６が接続されている。これらアンテナ３、入力部５及び表示部６は、上述した図１で説明したものである。
【００３０】
電話機本体１０１には、電源として充電式電池２２が接続されている。この充電式電池２２は、充電可能な二次電池(例えばリチウムイオン充電池（ＬＩＢ）)や電気二重層コンデンサ）が用いられる。また、充電式電池２２には、充電回路２３の出力端子が接続されている。充電回路２３は、表示装置８の燃料電池システム１４より出力される充電電力により前記充電式電池２２を充電する。充電回路２３の入力端子には、電源端子２４ａが接続されている。この電源端子２４ａは、携帯電話機１側のコネクタ２４を構成するものである。
【００３１】
また、電話機本体１０１には、信号出力手段としての音声及び画像信号出力装置２５が接続されている。この音声及び画像信号出力装置２５は、電話機本体１０１のＴＶ機能で受信したＴＶ放送の音声及び画像信号を出力する。音声及び画像信号出力装置２５の出力端には、信号端子２４ｂが接続されている。この信号端子２４ｂは、前記電源端子２４ａとともに、携帯電話機１側のコネクタ２４を構成している。
【００３２】
一方、表示装置８は、上述した燃料電池システム１４を有している。この燃料電池システム１４の出力端子には、上述したスイッチ１１が接続されている。このスイッチ１１は、可動接点１１ａと固定接点１１ｂ、１１ｃを有し、可動接点１１ａを固定接点１１ｂ、１１ｃに対し切換え可能にしている。
【００３３】
スイッチ１１は、可動接点１１ａに燃料電池システム１４の出力端子が接続されている。また、固定接点１１ｂに、電源端子２６ａが接続されている。この電源端子２６ａは、表示装置８側のコネクタ２６を構成するものである。さらに、固定接点１１ｃに、上述した表示部９、信号受信手段出力としての音声及び画像信号受信装置２７及び信号処理手段出力としての音声及び画像出力処理装置２８が接続されている。つまり、スイッチ１１の可動接点１１ａが固定接点１１ｂ側に切換えられると（図示状態）、燃料電池システム１４の出力は、充電電力として第１の電力供給路ａを介して電源端子２６ａに供給され、可動接点１１ａが固定接点１１ｃ側に切換えられると、燃料電池システム１４の出力は、駆動電力として第２の電力供給路ｂを介して表示部９、音声及び画像信号受信装置２７及び音声及び画像出力処理装置２８に供給される。
【００３４】
音声及び画像信号受信装置２７は、入力端子を上述したスイッチ１２を介して信号端子２６ｂに接続されている。この信号端子２６ｂは、前記電源端子２６ａとともに、表示装置８側のコネクタ２６を構成している。また、スイッチ１２は、携帯電話機１側から音声及び画像信号受信装置２７への入力を強制的にオフにするためのものである。
【００３５】
音声及び画像信号受信装置２７は、携帯電話機１側の音声及び画像信号出力装置２５より出力される音声及び画像信号を受信する。
【００３６】
音声及び画像信号受信装置２７には、音声及び画像出力処理装置２８が接続されている。この音声及び画像出力処理装置２８は、音声及び画像信号受信装置２７で受信された音声及び画像信号を音声信号と画像信号に分離して出力する。
【００３７】
音声及び画像出力処理装置２８には、表示部９及びスピーカ１０が接続されている。表示部９は、音声及び画像出力処理装置２８で分離された画像信号を映像として表示する。また、スピーカ１０は、音声及び画像出力処理装置２８で分離された音声信号を再生する。
【００３８】
携帯電話機１のコネクタ２４と表示装置８のコネクタ２６の間には、上述した接続ケーブル７が接続されている。接続ケーブル７は、電源線７１と信号線７２を有している。また、一方端のコネクタ７０１には、電源線７１に接続された電源端子７０１ａと信号線７２に接続された信号端子７０１ｂが設けられ、コネクタ７０１を携帯電話機１側のコネクタ２４に接続した状態で、電源端子７０１ａを電源端子２４ａに、信号端子７０１ｂを信号端子２４ｂにそれぞれ接続可能にしている。また、他方端のコネクタ７０２にも、電源線７１に接続された電源端子７０２ａと信号線７２に接続された信号端子７０２ｂが設けられ、コネクタ７０２を表示装置８側のコネクタ２６に接続した状態で、電源端子７０２ａを電源端子２６ａに、信号端子７０２ｂを信号端子２６ｂにそれぞれ接続可能にしている。
【００３９】
次に、このように構成した実施の形態の作用を説明する。
【００４０】
いま、携帯電話機１のコネクタ２４と表示装置８のコネクタ２６の間が、接続ケーブル７により接続されているものとする。この場合、表示装置８は、図２に示すように脚部１５が取り出され、表示装置本体８０１が所定角度傾けた状態で立て掛けられている。
【００４１】
次に、スイッチ１１を操作して、可動接点１１ａを固定接点１１ｃ側に切換えると、燃料電池システム１４の出力が駆動電力として第２の電力供給路ｂを介して表示部９、音声及び画像信号受信装置２７及び音声及び画像出力処理装置２８に供給される。この場合、燃料電池システム１４は、ＤＭＦＣユニット１６の出力が制御ユニット１７の不図示のＤＣ−ＤＣコンバータにより昇圧され所定の出力電圧を発生している。
【００４２】
この状態で、携帯電話機１の音声及び画像信号出力装置２５が、例えば電話機本体１０１のＴＶ機能で受信したＴＶ放送の音声及び画像信号を出力すると、これら音声及び画像信号は、接続ケーブル７の信号線７２を介して表示装置８に送られ、音声及び画像信号受信装置２７で受信される。また、音声及び画像信号受信装置２７で受信された音声及び画像信号は、音声及び画像出力処理装置２８に送られ、音声信号と画像信号に分離される。そして、これら分離された音声信号及び画像信号のうち、音声信号は、スピーカ１０に出力され再生され、また、画像信号は、表示部９に送られ映像として表示画面に表示される。
【００４３】
次に、スイッチ１１を操作して、図示のように可動接点１１ａを固定接点１１ｂ側に切換えると、燃料電池システム１４の出力が充電電力として第１の電力供給路ａを介して電源端子２６ａに送られ、接続ケーブル７の電源線７１を介して携帯電話機１の充電回路２３に供給される。これにより、充電回路２３は、燃料電池システム１４を充電用電源として充電式電池２２を満充電状態まで充電する。
【００４４】
従って、このようにすれば、携帯電話機１に接続ケーブル７により表示装置８を接続可能とし、携帯電話機１のＴＶ機能で受信したＴＶ放送の音声及び画像信号を表示装置８の表示部９に拡大して表示できるようにした。この場合、表示装置８は、燃料電池システム１４を有していて、かかる燃料電池システム１４の出力を表示装置８自身の駆動電力として使用するとともに、スイッチ１１の切換え操作により燃料電池システム１４の出力を接続ケーブル７を介して携帯電話機１の充電回路２３に充電電力として供給できるようにもした。これにより、表示装置８を携帯して携帯電話機１と一緒に使用することにより、野外などでも表示装置８の画面サイズの大きな表示部９に携帯電話機１の表示部６の画面を拡大して表示できるので、迫力あるスポーツ観戦などを実現できる。また、携帯先で携帯電話機１が電池切れになっても、表示装置８の燃料電池システム１４の出力を充電回路２３の充電電源として利用できるので、携帯電話機１専用の充電器を必要としないとともに、これら充電器が使用できない環境下であっても携帯電話機１を充電することができ、携帯電話機１が使用不能に陥る事態を未然に防止することもできる。
【００４５】
さらに、画面サイズの大きな表示部９を有する表示装置本体８０１に燃料電池システム１４を配置することにより、燃料電池システム１４も面積も大きな、高出力仕様のものを適用できるので、画面サイズの大きな表示部９の表示は勿論、携帯電話機１の充電式電池２２を充電するにも十分な電力を確保することができる。
【００４６】
（第２の実施の形態）
第１の実施の形態では、携帯電話機１と表示装置８の間を接続ケーブル７により接続するようにしたが、この第２の実施の形態では、携帯電話機１に直接表示装置８を取付けるようにしている。
【００４７】
図６は、第２の実施の形態の要部の概略構成を示すもので、図１と同一部分には同符号を付している。携帯電話機１は、ケース１０１側縁に連結部３１が設けられ、この連結部３１により表示装置８を着脱可能にしている。この場合、連結部３１は、表示装置８を、その傾き角度を可変可能にして携帯電話機１に連結する機械的接続機能とともに、携帯電話機１と表示装置８との間を電気的に接続する電気的接続機能を有している。ここでの電気的接続機能は、第１の実施の形態で述べた携帯電話機１側の音声及び画像信号出力装置２５の出力を表示装置８側の音声及び画像信号受信装置２７に送信する機能と、燃料電池システム１４の出力を充電電力として携帯電話機１の充電回路２３に供給する機能である。
【００４８】
その他は、図１と同様である。
【００４９】
このようにすれば、第１の実施の形態で述べた効果に加えて、携帯電話機１に連結部３１を介して表示装置８を取付けることができるので、全体をさらにコンパクトにでき、携帯電話機１と表示装置８を一緒に携帯する場合、さらに便利にできる。
【００５０】
なお、本発明は、上記実施の形態に限定されるものでなく、実施段階では、その要旨を変更しない範囲で種々変形することが可能である。例えば、上述した各実施の形態では、携帯電話機１からＴＶ機能で受信したＴＶ放送の音声及び画像信号を表示装置８に送信する例を述べたが、例えば、携帯電話機１の表示部６に表示される各種の情報、あるいはカメラ機能を有する携帯電話機の場合、カメラ機能で撮像した画像信号などを表示装置８に表示するようにもできる。勿論、ＴＶ放送の場合、画像信号のみを表示装置８に表示するようにしてもよい。
【００５１】
また、携帯電話機１から表示装置８への音声及び画像信号の送信は、接続ケーブル７の信号線７２を用いて行っているが、音声及び画像信号の送信については接続ケーブ７を使用せず無線信号での送信にしてもよい。この場合には、携帯電話機１の音声及び画像信号出力装置に発信機能を具備あるいは発信装置を接続し、また表示装置８の音声及び画像信号受信装置に受信機能を具備あるいは受信装置を接続することで、無線信号での送受信が可能となる。  また、表示装置８は、燃料電池システム１４の発電状態を表示する表示手段を設けるようにしても良い。こうすれば、燃料電池システム１４が燃料切れで発電停止に陥る事態を回避でき、常に安定した状態で燃料電池システム１４を運転できる。
【００５２】
また、上述した各実施の形態では、電子機器として携帯電話機の場合について述べたが、携帯用オーディオ機器などの他の小型電子機器への適用も可能である。
【００５３】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００５４】
また、例えば、上記した説明では、主にＤＭＦＣユニット１６の構成としてパッシブ型の燃料電池を例に挙げて説明したが、アクティブ型の燃料電池、などさらには燃料供給など一部にポンプ等を用いたセミパッシブ型の燃料電池に対しても本発明を適用することができ、パッシブ型の燃料電池を用いた場合と同様の作用効果が得られる。また、ＭＥＡへ供給される液体燃料についても、全て液体燃料、全て液体燃料の蒸気あるいは、一部が液体状態で供給される場合であっても本発明を適用することができる。
【図面の簡単な説明】
【００５５】
【図１】本発明の第１の実施の形態にかかる表示装置を電子機器に接続した状態の概略構成を示す外観図。
【図２】第１の実施の形態の表示装置の側面図。
【図３】第１の実施の形態の表示装置の裏面を示す図。
【図４】第１の実施の形態に用いられる燃料電池システムの概略構成を示す図。
【図５】第１の実施の形態の回路構成の概略構成を示す図。
【図６】本発明の第２の実施の形態にかかる表示装置を電子機器に接続した状態の概略構成を示す外観図。
【符号の説明】
【００５６】
１…携帯電話機、１０１…電話機本体
１０１…ケース、２…マイク
３…アンテナ、４…スピーカ
５…入力部、６…表示部
７…接続ケーブル、７１…電源線
７２…信号線、７０１．７０２…コネクタ
７０１ａ…電源端子、７０１ｂ…信号端子
７０２ａ…電源端子、７０２ｂ…信号端子
８…表示装置、８０１…表示装置本体
９…表示部、１０…スピーカ
１１．１２…スイッチ、１１ａ…可動接点
１１ｂ．１１ｃ…固定接点、１３…電源室
１３ａ…開口部、１４…燃料電池システム
１５…脚部、１６…ＤＭＦＣユニット
１７…制御ユニット、１８…補助電源
１９…液体燃料収容部、１９ａ…注入口
２０…出力端子、２１…燃料カートリッジ
２２…充電式電池、２３…充電回路
２４．２６…コネクタ、２４ａ…電源端子
２４ｂ…信号端子、２５…音声及び画像信号出力装置
２６ａ…電源端子、２６ｂ…信号端子
２７…音声及び画像信号受信装置、２８…音声及び画像出力処理装置
３１…連結部
ａ…第１の電力供給路、ｂ…第２の電力供給路
【図１】
2008165115.tif 000003
【図２】
2008165115.tif 000004
【図３】
2008165115.tif 000005
【図４】
2008165115.tif 000006
【図５】
2008165115.tif 000007
【図６】
2008165115.tif 000008